(57)【要約】【課題】一対の部材の間を簡単な操作によって広げる。【解決手段】テンションプーリ２１とアイドラ２２は、スリット２４に沿って変位自在であり、バネによって相互に接近する方向に付勢される。長尺部材３１の切欠き３３はアイドラ２２の支持軸２６に係合する。押圧部材３２の切欠き３５はテンションプーリ２１の支持軸２５に係合する。長尺部材３１と押圧部材３２は連結ピン３４によって相互に連結され、押圧部材３２は長尺部材３１に対して回転自在である。長尺部材３１の基端部３６をバネ力に抗して矢印Ａ方向に変位させると、アイドラ２２の支持軸２６は切欠き３３により右方向に押され、連結ピン３４は左斜め下方向に変位する。押圧部材３２は連結ピン３４を介してテンションプーリ２１側へ押圧され、テンショナプーリ２１の支持軸２５は切欠き３５により左方向に押される。すなわちテンションプーリ２１とアイドラ２２は、相互に離間する方向に変位する。【選択図】      図３
2004225835.tif 000002
【特許請求の範囲】
【請求項１】
相互に接近する方向に付勢された一対の部材の間を広げるための開放治具であって、前記一対の部材の一方に係合する第１の係合部が先端に形成された長尺部材と、前記一対の部材の他方に係合する第２の係合部が先端に形成され、かつ他端が前記長尺部材に設けられた支点部に回転自在に支持された押圧部材とを備えることを特徴とする開放治具。
【請求項２】
前記第１の係合部から前記支点部までの第１の距離が、前記長尺部材の基端部から前記支点部までの第２の距離よりも短いことを特徴とする請求項１に記載の開放治具。
【請求項３】
前記第１の係合部が前記長尺部材の先端の外側面に形成された切欠きであり、前記第２の係合部が前記押圧部材の先端の外側面に形成された切欠きであることを特徴とする請求項１に記載の開放治具。
【請求項４】
前記一対の部材がそれぞれ支持軸によって回転自在に支持され、前記第１および第２の係合部が前記支持軸にそれぞれ係合可能であることを特徴とする請求項１に記載の開放治具。
【請求項５】
前記一対の部材がプーリまたはアイドラであることを特徴とする請求項１に記載の開放治具。
【請求項６】
前記一対の部材の間を広げた状態で保持するためのストッパ手段を備えることを特徴とする請求項１に記載の開放治具。
【発明の詳細な説明】
【０００１】
【発明の属する技術分野】
本発明は、例えば自動車エンジンの組立て工程において、無端ベルトをクランクプーリ等に取付けるときに用いられる治具に関する。
【０００２】
【従来の技術】
従来、自動車エンジンにおいて、クランクプーリ、発電機のプーリ、エアコンのプーリ、テンショナ等を１本の無端ベルトによって同期的に回転させるように構成されたベルト伝動システムが知られており、無端ベルトが隣接するプーリの間を大きく蛇行して取付けられるものも提案されている（例えば特許文献１）。自動車エンジンの組立て工程では、無端ベルトを取付けるために、例えばテンショナのプーリをバネ力に抗して変位させなければならない。
【０００３】
【特許文献１】
特開２００１−５９５５５号公報
【０００４】
【発明が解決しようとする課題】
２つのプーリ同士、あるいはプーリとアイドラがバネ等によって相互に接近する方向に付勢されているベルト伝動システムでは、無端ベルトを取付けるために、２つのプーリ間、あるいはプーリとアイドラ間を広げることが必要である。ところがベルト伝動システムの周囲において種々の機器が密接して配置されている場合、プーリ間を広げる作業は容易でない。
【０００５】
本発明は、例えばプーリとアイドラ等のような一対の部材の間を簡単な操作によって広げることができる開放治具を提供することを目的とする。
【０００６】
【課題を解決するための手段】
本発明の開放治具は、一対の部材の一方に係合する第１の係合部が先端に形成された長尺部材と、一対の部材の他方に係合する第２の係合部が先端に形成され、かつ他端が長尺部材に設けられた支点部に回転自在に支持された押圧部材とを備えることを特徴している。
【０００７】
第１の係合部から支点部までの第１の距離は、長尺部材の基端部から支点部までの第２の距離よりも短いことが好ましい。第１の係合部は例えば長尺部材の先端の外側面に形成された切欠きであり、第２の係合部は例えば押圧部材の先端の外側面に形成された切欠きである。一対の部材がそれぞれ支持軸によって回転自在に支持されている場合、第１および第２の係合部は支持軸にそれぞれ係合可能であってもよい。一対の部材は例えばプーリまたはアイドラである。また開放治具は、一対の部材の間を広げた状態で保持するためのストッパ手段を備えることが好ましい。
【０００８】
【発明の実施の形態】
以下、図面を用いて本発明の実施の形態について説明する。図１は本発明の実施形態である開放治具を用いて無端ベルト（例えば歯付きベルト）１０が取付けられる、ベルト伝動システムの一例を示している。
【０００９】
このベルト伝動システムにおいて、無端ベルト１０は、第１のプーリ１１、第２のプーリ１２、および図示しない他のプーリに掛け回されている。第１および第２のプーリ１１、１２の間には張力調節機構２０が設けられている。張力調節機構２０はテンションプーリ２１とアイドラ２２を有し、テンションプーリ２１とアイドラ２２はブラケット２３に支持されている。ブラケット２３にはスリット２４が形成され、テンションプーリ２１の支持軸２５とアイドラ２２の支持軸２６は、スリット２４を貫通している。すなわちテンションプーリ２１とアイドラ２２は、スリット２４に沿って直線的に変位自在であり、また支持軸２５、２６の周りに回転自在である。
【００１０】
テンションプーリ２１とアイドラ２２はベルト１０の外周面に係合している。テンションプーリ２１とアイドラ２２は、図示しないバネによって相互に接近する方向、すなわちスリット２４に平行に付勢されており、これによりベルト１０の張力が一定の範囲内になるように調整される。
【００１１】
図２を参照して、開放治具３０の構成を説明する。開放治具３０は長尺部材３１と押圧部材３２を有している。本実施形態において、長尺部材３１と押圧部材３２は平板を切断することによって得られるが、断面が例えば円形である棒状部材等から成形することも可能である。
【００１２】
長尺部材３１の先端には第１の係合部である切欠き３３が形成され、切欠き３３から第１の距離Ｄ１だけ離れた部位には、支点部である連結ピン３４が設けられている。押圧部材３２の先端には第２の係合部である切欠き３５が形成され、押圧部材３２の他端は連結ピン３４に支持されている。すなわち、長尺部材３１と押圧部材３２は連結ピン３４によって相互に連結され、押圧部材３２は長尺部材３１に対して回転自在である。第１の距離Ｄ１は、長尺部材３１の基端部３６から連結ピン３４までの第２の距離Ｄ２よりも短い。
【００１３】
開放治具の使用状態において、切欠き３３、３５は相互に反対方向すなわち外側を向いている。換言すれば、切欠き３３は長尺部材３１の外側面に形成され、切欠き３５は押圧部材３２の外側面に形成されている。切欠き３３はアイドラ２２の支持軸２６に係合可能であり、切欠き３５はテンショナプーリ２１の支持軸２５に係合可能である。
【００１４】
長尺部材３１において、連結ピン３４と切欠き３３の間には孔３７が穿設されている。同様に押圧部材３２においても、連結ピン３４と切欠き３５の間には孔３７と同径の孔３８が形成されている。これらの孔３７、３８は、後述するように、長尺部材３１と押圧部材３２が所定の角度位置に定められた状態において重合する。
【００１５】
図２および図３を参照して開放治具の作用を説明する。図２は、テンショナプーリ２１とアイドラ２２が図示しないバネによって最も接近している状態すなわち中立状態を示している。図３は、テンショナプーリ２１とアイドラ２２の間が開放治具によって広げられた状態を示している。
【００１６】
まず、図２に示されるように、長尺部材３１の切欠き３３がアイドラ２２の支持軸２６に係合され、押圧部材３２の切欠き３５がテンショナプーリ２１の支持軸２５に係合される。この状態から長尺部材３１の基端部３６をテンショナプーリ２１とアイドラ２２の間のバネ力に抗して時計方向（矢印Ａ方向）に回転変位させると、アイドラ２２の支持軸２６は切欠き３３により右方向に押されてスリット２４に沿って変位し、連結ピン３４は左斜め下方向に変位する。また、押圧部材３２は連結ピン３４を介してテンションプーリ２１側へ押圧され、テンショナプーリ２１の支持軸２５は切欠き３５により左方向に押されてスリット２４に沿って変位する。すなわち、テンションプーリ２１とアイドラ２２は、図３に示されるように、相互に離間する方向に変位する。
【００１７】
本実施形態では、長尺部材３１の孔３７と押圧部材３２の孔３８とが、テンションプーリ２１とアイドラ２２が所定値だけ離間した状態において相互に重合するように形成されている。したがって、重合した孔３７、３８にピン（図示せず）を挿入することにより、長尺部材３１と押圧部材３２を固定させることができ、この状態でテンションプーリ２１とアイドラ２２に対する無端ベルト１０の取付け作業、あるいは取外し作業を容易に行うことができる。すなわち孔３７、３８とピンは、テンションプーリ２１とアイドラ２２の間を広げた状態で保持するためのストッパとして機能する。
【００１８】
長尺部材３１の全体長さは、切欠き３３から連結ピン３４までの第１の距離Ｄ１に対して数倍大きい。したがって、長尺部材３１を回動させるために必要な力は小さくてすみ、テンショナプーリ２１とアイドラ２２の間のバネ力にかかわらず長尺部材３１を容易に回動させることができる。また押圧部材３２の長さは、テンションプーリ２１とアイドラ２２の間の開放動作の開始時（図２参照）に長尺部材３１スリット２４との成す角が鈍角になるように、すなわち基端部３６がアイドラ２２側に偏るように構成されている。したがって、長尺部材３１はスリット２４との成す角が直角に近づくように回動せしめられることとなり、開放動作は容易である。
【００１９】
なお本実施形態はテンションプーリ２１とアイドラ２２の間を広げる例であったが、本発明はこれに限定されるものではなく、一対の部材の間を広げる場合に適用できる。
【００２０】
なお、上記実施形態では２つの孔３７、３８にピンを挿入して、テンションプーリ２１とアイドラ２２の間を広げた状態で保持しているが、その他の例としてラチェットを採用することも可能である。
【００２１】
【発明の効果】
以上のように本発明によれば、テンションプーリとアイドラ等の一対の部材の間を簡単な操作によって広げることができる。
【図面の簡単な説明】
【図１】本発明の実施形態である開放治具を用いて無端ベルトが取付けられるベルト伝動システムの一例を示す図である。
【図２】テンショナプーリとアイドラがバネによって最も接近している状態を示す図である。
【図３】テンショナプーリとアイドラの間が開放治具によって広げられた状態を示す図である。
【符号の説明】
３１  長尺部材
３２  押圧部材
３３、３５  切欠き
３４  連結ピン
【図１】
2004225835.tif 000003
【図２】
2004225835.tif 000004
【図３】
2004225835.tif 000005